(57)【要約】【課題】キャビネット内の側壁や中央部の収納物の出し入れが容易で、食器類や調味料等の物品を仮置き可能なカウンター機能をあわせ持ち、更に開閉扉表面に凸設部をなくして引き違い扉にも適用できる補助扉を有する開閉扉付きキャビネットを提供するものである。【解決手段】キャビネット（１）の開閉扉本体（１０）に開口部（１３）を形成し、該開口部（１３）を開閉する補助扉（１５）を有する開閉扉付きキャビネットにおいて、前記開口部（１３）の幅が前記開閉扉（１０）の両側扉フレーム（１１）間隔と略等しく、かつ該開口部（１３）の下部端がキャビネット内の少なくとも一つの棚板（３）高さ位置と略同じ高さであって、前記補助扉（１５）が、該補助扉（１５）の両端に設けた支軸（１７）を中心に揺動し、該支軸（１７）の支軸受け（１８）を前記開閉扉本体（１０）の両扉フレーム（１１）に設けて、補助扉（１５）を開閉扉本体（１０）の面に対して略直角となる揺動位置に保持する水平保持機構（１４）を備える。【選択図】  図１
2008228776.tif 000002
【特許請求の範囲】
【請求項１】
キャビネット（１）の開閉扉本体（１０）に開口部（１３）を形成し、該開口部（１３）を開閉する補助扉（１５）を有する開閉扉付きキャビネットにおいて、前記開口部（１３）の幅が前記開閉扉（１０）の両側扉フレーム（１１）間隔と略等しく、かつ該開口部（１３）の下部端がキャビネット内の少なくとも一つの棚板（３）高さ位置と略同じ高さであって、前記補助扉（１５）が、該補助扉（１５）の両端に設けた支軸（１７）を中心に揺動し、該支軸（１７）の支軸受け（１８）を前記開閉扉本体（１０）の両扉フレーム（１１）に設けて、補助扉（１５）を開閉扉本体（１０）の面に対して略直角となる揺動位置に保持する水平保持機構（１４）を備えたことを特徴とする補助扉を有する開閉扉付きキャビネット。
【請求項２】
扉フレーム（１１）に設けられた前記支軸受け（１８）は、前記支軸（１７）が上下摺動可能な縦溝（１８）で構成され、該縦溝（１８）の内部には支軸係止体（２０）を設けると共に、前記開口部（１３）の両側扉フレーム（１１）の内側には前記補助扉（１５）の揺動に際して乗り越え可能な弾性凸条体（１９）を設けたことを特徴とする請求項１に記載の補助扉を有する開閉扉付きキャビネット。
【請求項３】
前記キャビネット（１）が、厨房用のトールキャビネット（１）であって、開閉扉本体（１０）は引き違い扉であることを特徴とする請求項1または２に記載の補助扉を有する開閉扉付きキャビネット。
【発明の詳細な説明】
【技術分野】
【０００１】
この発明は、補助扉を有する開閉扉付きキャビネットに関する。
【背景技術】
【０００２】
補助扉を有する開閉扉としては、例えば、特許文献１や特許文献２が知られている。
特許文献１は、扉本体の表壁と裏壁とを互いに離隔して中空部を形成するように両壁の周端壁を一体に連設して中空二重壁構造の扉本体とし、扉本体の一部に開口部を形成して、開口部に表壁側から開閉自在の補助扉を設け、補助扉の裏側にポケット収納部を設けたものである。このようにキャビネットの開閉扉本体に開口部を形成して補助扉を設けたことにより、使用上や作業上の態様に応じて物品の出し入れや内部の保守点検などを簡便、迅速の行うことができるものである。
【０００３】
また、特許文献２は、玄関等のドア本体に手前に開く小扉を設け、小扉を閉じた時に外側から開閉できないように止め金具を取り付けたもので、小扉を開くことにより、ドア本体を閉めたまま、小型物品の授受や来訪者との簡単な用件を済ませることができる。また、小扉を水平開きとし、必要に応じて手前に開いた時に水平位置で固定できるようにストッパーを設け、カウンター兼用として、受領印の押印やサイン時等の便利性を向上するものである。
【０００４】
【特許文献１】特開平８−１８２５４９号公報
【特許文献２】登録実用新案第３１０３０３３号公報
【発明の開示】
【発明が解決しようとする課題】
【０００５】
しかしながら、前述の特許文献1の発明は、キャビネット内の物品を開閉扉本体を開閉することなく、補助扉の開閉のみで迅速に出し入れするにはよいが、横方向への揺動開閉であるため、補助扉の間口方向幅を長くするとキャビネット前面に広い補助扉開閉領域が必要となるため幅を短くせざるを得ず、補助扉の開閉によるキャビネット内中央や側壁側の収納物品の出し入れに問題があった。
【０００６】
また、特許文献２の発明にあっては、玄関ドアを開閉することなく、小扉開閉で玄関ドア内外の物品授受が可能であり、且つ、小扉を水平に保持してカウンター機能をあわせもつため利便性が向上するものの、本開示技術は、玄関ドア表面にストッパー（ステー）や止め金具を凸設させており、この技術を厨房機器であるトールキャビネットなどに応用すると、凸設部に人の衣服などを引っ掛ける可能性があり、また、引き違い扉等には使用できないという課題があった。
【０００７】
この発明は、かかる現状に鑑み創案されたものであって、キャビネット内の側壁や中央部の収納物の出し入れが容易で、食器類や調味料等の物品を仮置き可能なカウンター機能をあわせ持ち、更に開閉扉表面に凸設部をなくして引き違い扉にも適用できる補助扉を有する開閉扉付きキャビネットを提供し、利用者の更なる利便性を実現しようとするものである。
【課題を解決するための手段】
【０００８】
上記の目的を達成するために、請求項１記載の発明は、キャビネットの開閉扉本体に開口部を形成し、該開口部を開閉する補助扉を有する開閉扉付きキャビネットにおいて、開口部の幅が開閉扉の両側扉フレーム間隔と略等しく、かつ該開口部の下部端がキャビネット内の少なくとも一つの棚板高さ位置と略同じ高さであって、補助扉が、該補助扉の両端に設けた支軸を中心に揺動し、該支軸の支軸受けを開閉扉本体の両扉フレームに設けて、補助扉を開閉扉本体の面に対して略直角となる揺動位置に保持する水平保持機構を備えたものである。
【０００９】
本発明によると、補助扉の開口部が開閉扉本体の幅方向に最大限広くすることができ、開口部の奥側のキャビネット棚板が開口部の下端とほぼ同一高さであるため、キャビネット内棚板上の収納物品の出し入れが容易となる効果がある。また、補助扉を開いて水平状態に保持できるので、その上面にキャビネットから出し入れする収納物品を仮置きできる。
【００１０】
更に請求項２記載の発明は、請求項１に記載の発明を技術的前提として、扉フレームに設けられた支軸受けを、支軸が上下摺動可能な縦溝で構成し、該縦溝の内部には支軸係止体を設けると共に、開口部の両側扉フレームの内側には補助扉の揺動に際して乗り越え可能な弾性凸条体を設けたものである。
本発明によると、請求項1に記載の効果に加え、キャビネット内の収納物の出し入れや仮置き等の用途に応じて、補助扉の上下開閉又は揺動開閉を選択使用できるので、利用者の利便性を向上させることができる。
【００１１】
また、請求項３に記載の発明は、請求項１または２に記載の発明を技術的前提とし、キャビネットが、厨房用のトールキャビネットであって、開閉扉本体は引き違い扉である。
本発明によると、補助扉を開いた水平保持位置を他のキッチン台などの天板高さに合わせて設けることができ厨房作業が効率的に行え、且つ、開き戸タイプのトールキャビネットに比較して、狭い場所での通路幅などを効果的にとることができる。
【発明の効果】
【００１２】
この発明にかかる補助扉を有する開閉扉付きキャビネットは、以上説明した如き内容のものなので、キャビネット内の側壁や中央部の収納物の出し入れが容易で、食器類や調味料等の物品を仮置き可能なカウンター機能をあわせ持ち、更に開閉扉表面に凸設部をなくして引き違い扉にも適用できるため、利用者の更なる利便性を実現することができる。
【発明を実施するための最良の形態】
【００１３】
以下、図面に基づき、この発明の詳細を説明する。
図１は、本発明の一実施例である補助扉を有する開閉扉付きキャビネットの斜視図である。図２は、図１の開閉扉の分解構成図であり、図３は、補助扉の上下摺動、および係止機構を説明する要部斜視図である。
【実施例１】
【００１４】
この発明の一実施例として、図１に示すトールキャビネット１を例に説明する。図１に示す如く、このトールキャビネット１はキャビネットフレーム２で両側板、天板、底板と図示しない背板で覆われ、前面が開放された箱体の底板前面に引き違い扉溝４を設けて、該引き違い扉溝４に２枚の開閉扉本体１０を嵌め込み、該開閉扉本体１０をスライドさせて内部の収納物品を出し入れできる食器棚である。トールキャビネット内には複数枚の棚板３が両側板間に架渡されており、該棚板３上に食器や調味料類を収容する。
【００１５】
そして、このトールキャビネット１は２枚の開閉扉本体１０を閉じた状態でも収納物品が出し入れできるように、開閉扉本体１０の上下方向の所定高さに開口部１３が設けられ、該開口部１３を開閉する補助扉１５を有している。開口部１３の幅は開閉扉１０の両側扉フレーム１１間隔と略等しくし、開口部１３の下部端がキャビネット内の少なくとも一つの棚板３高さ位置と略同じ高さとしている。
両側扉フレーム１１間隔と略等しい幅とは、扉フレーム１１、即ち扉枠と開口部１３との間に扉面構造体１２を設けないことを意味し、開閉扉１０側端と開口部１３間の距離は１５０ｍｍ程度以下となり、開口部１３からキャビネット１の横方向の中央又は側板近傍の収納物品が出し入れできる幅としたものである。
【００１６】
また、棚板３高さと略同じ高さに開口部１３下端を設けるとは、キャビネット内棚板３上の収納物品を出し入れする場合に、上下方向で手がとどき易くするもので、開口部１３下端から１５０ｍｍ程度以内の位置に棚板３上面を配置するものである。なお、補助扉１５から出し入れする収納物品の収納対象棚板３の上面位置が開口部１３下端よりも上部に、すなわち、補助扉１５高さの１／３程度になっても物品の出し入れは可能であるが、高さのある収納物品を出し入れするため、開口部１３下端を超えないことが好ましい。
【００１７】
次いで、開閉扉本体１０について説明する。
開閉扉本体１０は、図２の分解構成図、または図３の要部斜視図に示すように、上下左右の扉フレーム１１と、該扉フレーム１１に囲まれた内側を閉塞する上下の扉面構造体１２と、上下の扉面構造体１２間の開口部１３を開閉する補助扉１５とで構成される。
補助扉１５は、両側端の下端近傍に円筒状の支軸１７を設け、該支軸１７を軸心として揺動可能であり、開閉扉本体１０の面に対して略直角となる揺動位置、すなわち、図の実線で示す水平保持位置と破線で示す垂直位置とを揺動し、開口部１３を開閉可能に構成している。
【００１８】
補助扉１５の支軸１７を回動自在に支持する支軸受け１８は、両側の扉フレーム１１内側に凹状穴を設ければよいが、本実施例１では、縦溝形状として補助扉１５の支軸１７が上下に該縦溝１８内を摺動できるように構成されている。上下動の規制は、図３に示すように縦溝１８内に支軸係止体２０を設けて所定位置で補助扉１５が支持停止できるように構成する。支軸係止体２０は支軸１７に摺動する半球状先端部を有する係止凸部２１と該係止凸部２１を支軸方向に押圧するバネ部２２で構成し、上下移動する支軸１７が該係止凸部２１に当接するとバネを縮めて通過させ、通過が終了するの再度伸び出て支軸１７が降下しないように該位置で保持させることができる。このような構成とすることで、縦溝１８の上部に補助扉１５の支軸１７を位置せしめ、開口部１３を閉じる位置と開口部１３を開いてカウンターに使用する位置とで揺動させるものである。
【００１９】
また、水平保持機構１４は本実施例1では、下部の扉面構造体１２内に設けている。該扉面構造体１２の上部に補助扉１５の支軸下端片２６が該扉面構造体１２内で回動可能な回動空間２５を形成し、補助扉１５が支軸１７を中心に開口部１３を閉じる位置とカウンターとして使用する開口部１３を開く位置とで揺動する。水平保持機構１４は扉面構造体１２の上端内側からキャビネット１前面側に突出する水平保持係止片２４を設け、該水平保持係止片２４に支軸下端片２６を係止させることで、扉面に対して直角以上に補助扉１５が回動降下せずカウンター使用位置を保持させる。
尚、本実施例１では、回動空間２５を扉面構造体１２の全幅に渡って設けているが、支軸下端片２６が回動でき、９０度の位置で停止保持できればよく、例えば、両側のみに回動空間２５を設けるなど、下端片２６の形状と合わせて幅方向に部分的に回動空間２５を設けてもよい。
【００２０】
以上、開口部１３の揺動開閉方法について述べたが、次いで、上下開閉方法について説明する。
補助扉１５の上下動に対応する扉面構造体１２の構造は、補助扉１５厚みに対応する深溝状の補助扉収納部２３を扉面構造体１２内に設けることにより、開口部１３を開いたときの補助扉１５を収納させることができる。この補助扉収納部２３は、扉面構造体１２を表面板と裏面板で構成し内部を空間にすることで容易に形成することができる。
一方、扉フレーム１１の構造は、前述の如く、扉フレーム１１内側に縦溝１８と該縦溝１８内に支軸係止体２０を設けることで、補助扉１５を上下開閉させることができる。
【００２１】
開口部１３の閉位置では、補助扉１５の支軸１７が支軸係止体２０の上部で係止しており開口部１３を閉じた状態を維持することができ、開口部１３の開位置では、補助扉収納部２３の底面に補助扉１５の支軸下端片２６が当接して開位置を保持できる。
この開位置では、補助扉１５の中央上部近傍に凹設された取手１６は扉面構造体１２内に埋没しないで露出する位置に設けてあり、該取手１６を介して補助扉１５の上下開閉を行うことができる。
【００２２】
また、両側扉フレーム１１の内側には、補助扉１５の揺動に際して乗り越え可能な弾性凸条体１９が補助扉１５厚みよりも若干広い幅で２条設けられる。該弾性凸条体１９は補助扉１５の上下動に際して前後に倒れないように補助扉１５を保持すると共に、キャビネット１内への虫や埃に侵入を防止する。なお、本弾性凸条体１９は補助扉１５の揺動開閉に際しては前面側の弾性凸条体１９を乗り越えて揺動させる必要があるため、高さが５ｍｍ程度以下の耐磨耗性に優れる弾性体を使用することか好ましい。例えば、前述の支軸係止体の構造と同様に、金属製の係止凸部とバネ部で弾性凸条体１９を構成し、扉フレーム内に組み込むこともできる。
【００２３】
本実施例１では、補助扉１５の取手１６は凹設され、該補助扉１５は扉面構造体１２内に収納可能であるため、開閉扉１０表面には凸設部分がなく、扉フレーム１１厚み内からはみだす部分がない。そのため、図示しない開き戸タイプの開閉扉付きキャビネット１にも適用できるが、特に引き違い扉付きキャビネット１には有効である。また、キャビネット１の高さや幅が大きくて開閉扉１０の開閉に労力を有する大型収納キャビネット１には、出し入れ頻度多い収納物品を補助扉１５から出し入れできるため有効である。
【００２４】
以上、本発明の実施例を説明してきたが、本実施例に限定されるものではなく、例えば、補助扉１５の水平保持機構１４は、開口部１３が扉フレーム１１間隔と略等しく、開口幅が広く設けられ、キャビネット１側板近くの収納物品の取り出しが容易であればよく、扉フレーム１１と補助扉１５裏面を屈曲アーム等で水平支持させてもよく、また、チェーンやワイヤ等で補助扉１５を開いた後に引っ掛け支持してもよい。
そして、好ましくは、扉フレーム１１の奥行き幅内に水平保持機構１４の構成要素器具がすべて納まるようにすると引き違い扉に適用できる。
【００２５】
また、本実施例では補助扉１５の支軸１７を開閉扉１０の開口部１３下方に設けて、上開きの揺動開閉の例で示したが、開口部１３上部に設けて上開きの揺動開閉としてもよく、上下開閉にあっても、補助扉収納部２３を上部の扉面構造体１２に設けることで上方に補助扉１５を開動作する構造としても良い。
さらに、本実施例１では、２枚の開閉扉本体１０は同一構造の補助扉１５を有する開閉扉１０としているが、開閉扉本体１０の一方は補助扉１５を有さないものとしても良い。
【図面の簡単な説明】
【００２６】
【図１】本発明の一実施例である補助扉を有する開閉扉付きキャビネットの斜視図である。
【図２】図１の開閉扉の分解構成斜視図である。
【図３】図２に示すＡ−Ａ‘視縦断面の要部斜視図である。
【符号の説明】
【００２７】
１  キャビネット（トールキャビネット）
２  キャビネットフレーム
３  棚板
４  引き違い扉溝
１０  開閉扉（開閉扉本体）
１１  扉フレーム
１２  扉面構造体
１３  開口部
１４  水平保持機構
１５  補助扉
１６  取手
１７  支軸
１８  支軸受け（縦溝）
１９  弾性凸条体
２０  支軸係止体
２１  係止凸部
２２  バネ部
２３  補助扉収納部
２４  水平保持係止片
２５  回動空間
２６  下端片
【図１】
2008228776.tif 000003
【図２】
2008228776.tif 000004
【図３】
2008228776.tif 000005